(57)【要約】【課題】  入浴介助者の操作手数を軽減し操作性をより向上させた入浴用担架を提供すること。【解決手段】  入浴者が把持する回動式の手摺１７と、主サイドガード１５と、を有する入浴用担架１において、主サイドガード７に対し担架本体に載せられた入浴者の頭部側であって、担架本体の両側部に手摺１７の回動に追従連動して担架本体の載置面に対し起立した位置と倒伏した位置との間で回動する副サイドガード２４を備え、手摺１７を入浴者が把持できる把持位置にまで回動すると、副サイドガード２４が載置面に対し起立した位置になるよう回動し、載置面から外方への入浴者の上肢部のはみ出しを阻止し、手摺１７を非把持位置にまで回動すると、副サイドガード２４が入浴者の載置面への移乗動作の妨げにならない倒伏した位置まで回動するようにした。【選択図】図２
2011062480.tif 000002
【特許請求の範囲】
【請求項１】
入浴者が把持する回動式の手摺と、主サイドガードと、を有する入浴用担架において、
前記主サイドガードに対し担架本体に載せられた入浴者の頭部側であって、前記担架本体の両側部に前記手摺の回動に追従連動して前記担架本体の載置面に対し起立した位置と倒伏した位置との間で回動する副サイドガードを備えたことを特徴とする入浴用担架。
【請求項２】
請求項１記載の入浴用担架において、
前記手摺を入浴者が把持できる把持位置にまで回動すると、前記副サイドガードが前記載置面に対し起立した位置になるよう回動し、前記載置面から外方への入浴者の上肢部のはみ出しを阻止することを特徴とする入浴用担架。
【請求項３】
請求項１または２記載の入浴用担架において、
前記手摺を非把持位置にまで回動すると、前記副サイドガードが入浴者の前記載置面への移乗動作の妨げにならない倒伏した位置まで回動することを特徴とする入浴用担架。
【請求項４】
請求項１ないし３の何れかに記載の入浴用担架において、
前記手摺の回動に追従連動して両側部の前記副サイドガードが同時に回動することを特徴とする入浴用担架。
【発明の詳細な説明】
【技術分野】
【０００１】
本発明は、高齢者や身体障害者等の入浴者を仰臥位姿勢で浴槽に浸漬させ入浴させる入浴用担架に関するものである。
【背景技術】
【０００２】
従来より、仰臥位姿勢の入浴者を載せた担架を浴槽内の支持台上に移乗させた後、浴槽を昇降機構により上昇させて入浴者を入浴させる入浴装置が知られており、この担架には入浴時に入浴者が把持する回動式の手摺が設けられている（例えば、特許文献１）。
この回動式手摺は、担架面への移乗の際は、入浴者の移乗動作の邪魔にならない担架面と同等の位置まで回転しその位置にて固定することができ、一方、入浴時には担架上で仰臥位姿勢の入浴者が把持できる位置まで回転しその位置で固定することができるようになっている。
【０００３】
また、この種の入浴用担架において、担架本体の側部に設けられた第一のサイドフェンスに対して担架に載せられる入浴者の頭部側に第二のサイドフェンスが設けられた入浴用担架が知られている（例えば、特許文献２）。
この第二のサイドフェンスは手動で起立及び転倒ができるように構成されており、第二のサイドフェンスによって、入浴者の上肢部が担架から滑り落ちることや、入浴者の腕や手等が担架からはみ出すことを防止することができる。
【先行技術文献】
【特許文献】
【０００４】
【特許文献１】特開２００１−９５８８４号公報
【特許文献２】特開２００６−４２８５３号公報
【発明の概要】
【発明が解決しようとする課題】
【０００５】
しかしながら、従来の入浴用担架には、主副のサイドガードと、回動式の手摺を備え、手摺の回動に追従連動して副サイドガードを起立及び倒伏させることにより、入浴介助者の操作手数を軽減し操作性を向上させる工夫のなされたものは存在しない。
【０００６】
本発明は上記事情に鑑みてなされたもので、入浴介助者の操作手数を軽減し操作性をより向上させた入浴用担架を提供することを目的とする。
【課題を解決するための手段】
【０００７】
上記目的を実現する為、請求項１記載の発明は、入浴者が把持する回動式の手摺と、主サイドガードと、を有する入浴用担架において、
前記主サイドガードに対し担架本体に載せられた入浴者の頭部側であって、前記担架本体の両側部に前記手摺の回動に追従連動して前記担架本体の載置面に対し起立した位置と倒伏した位置との間で回動する副サイドガードを備えたことを特徴とする。
【０００８】
請求項２記載の発明は、請求項１記載の入浴用担架において、前記手摺を入浴者が把持できる把持位置にまで回動すると、前記副サイドガードが前記載置面に対し起立した位置になるよう回動し、前記載置面から外方への入浴者の上肢部のはみ出しを阻止することを特徴とする。
【０００９】
請求項３記載の発明は、請求項１または２記載の入浴用担架において、前記手摺を非把持位置にまで回動すると、前記副サイドガードが入浴者の前記載置面への移乗動作の妨げにならない倒伏した位置まで回動することを特徴とする。
【００１０】
請求項４記載の発明は、請求項１ないし３の何れかに記載の入浴用担架において、前記手摺の回動に追従連動して両側部の前記副サイドガードが同時に回動することを特徴とする。
【発明の効果】
【００１１】
請求項１記載の発明によれば、主サイドガードに対し担架本体に載せられた入浴者の頭部側であって、担架本体の両側部に手摺の回動に追従連動して担架本体の載置面に対し起立した位置と倒伏した位置との間で回動する副サイドガードが備えられるので、介助者は手摺の回動操作と、副サイドガードの起立・倒伏に係る回動操作を個々別々に行う必要はなく、入浴介助者の操作手数を軽減することができ、操作性を向上できる。
【００１２】
請求項２記載の発明によれば、手摺を入浴者が把持できる把持位置にまで回動すると、副サイドガードが載置面に対し起立した位置になるよう回動し、載置面から外方への入浴者の肩部ないしは上肢部のはみ出しを阻止する構成であるから、入浴介助者の操作手数を軽減でき、また、入浴者の肩や腕や手が不意に載置面から外方へはみ出すとこともない。
【００１３】
請求項３記載の発明によれば、手摺を非把持位置にまで回動すると、副サイドガードが入浴者の載置面への移乗動作の妨げにならない倒伏した位置まで回動する構成であるから、入浴介助者の操作手数を軽減でき、副サイドガードが移乗動作の妨げになることはない。
【００１４】
請求項４記載の発明によれば、手摺の回動に追従連動して両側部の副サイドガードが同時に回動する構成であるから、このような構成を採用することで操作性がより優れたものとなる。
【図面の簡単な説明】
【００１５】
【図１】本発明の第一の実施形態に係る入浴用担架を示す平面図である。
【図２】本発明の第一の実施形態に係る入浴用担架を示す側面図である。
【図３】本発明の第一の実施形態に係る手摺及び副サイドガードの付近を示す部分拡大斜視図である。
【図４】本発明の実施形態に係る入浴用担架が用いられる入浴装置の斜視図である。
【図５】本発明の第二の実施形態に係る入浴用担架を示す部分側面図である。
【発明を実施するための形態】
【００１６】
以下、図１ないし４を参照しつつ本発明の実施の形態について説明する。本発明に係る入浴用担架１は、高齢者や身体障害者等の入浴者を仰臥姿勢で横たわらせた状態で図４に示すような略長方形状のストレッチャー１１に支持されて浴室に搬送され、ストレッチャー１１の一方の長辺方向を昇降式浴槽９の一方の長辺方向に対して横付けし両者を連結し、入浴用担架１を昇降式浴槽９内に設けられる受け部１２方向にスライド移動させた後、昇降式浴槽９を上昇させることにより入浴者を湯に浸漬して入浴に供するものである。
【００１７】
以下、図１における入浴用担架１の下側を前側とし、上側を後側として、説明を行う。図１に示すように、入浴用担架１（担架本体）は、大別して背もたれ部２と、臀部３と、脚受け部４とからなる平面視略長方形状の載置部５がベースフレーム６上に載置されて構成される。背もたれ部２は概ね入浴者の頭部から腰部にかけての範囲を支持し、脚受け部４は概ね入浴者の脚から下の部位を支持する。
入浴用担架１がストレッチャー１１上に支持されている場合、通常、載置部５は、略水平状態となるように維持されている。
【００１８】
図１に示すように、背もたれ部２は、後側から前側にかけて順次配列される第一の背もたれ部２ａと第二の背もたれ部２ｂとから構成され、両部間が関節軸２２によって回動可能に連結されている。第一の背もたれ２ａには、枕２９が前後方向に位置調整可能に設けられている。
【００１９】
同様に脚受け部４も、後側から前側にかけて順次配列される第一の脚受け部４ａと第二の脚受け部４ｂとから構成され、両部間が関節軸２３によって回動可能に連結されている。
また、第二の背もたれ部２ｂの前側と臀部３の後側も関節軸３０によって回動可能に連結され、臀部３の前側と第一の脚受け部４ａの後側が関節軸３１によって回動可能に連結されている。
【００２０】
図２に示すように、背もたれ部２は、関節軸３０を支軸として臀部３に対し背もたれ部２全体が回動可能となっている。また、詳細な説明及び図示は省略するが、入浴用担架１を昇降式浴槽９の受け部１２に移動させた後、昇降式浴槽９を上昇させると、この上昇動作に随伴して、関節軸２２を支軸として、第一の背もたれ部２ａが第二の背もたれ部２ｂに対して回動する構成となっている。これにより入浴者の後頭部や耳が湯に浸かることなく、安全に入浴を行うことができる。さらに、脚受け部４は、側面視で関節軸２３部分が頂点となるよう上方に持ち上げて山形状に形態変更することができ、膝を立てた状態で入浴させることで入浴時のずり込みを防止できるようにもなっている。
【００２１】
ベースフレーム６は、載置部５の前後方向に延在され所定間隔をあけて離間して左右に並行配設されるパイプ状部材７・７と、このパイプ状部材７・７の各端部に連結され載置部５の左右方向にわたって横架される側面視逆凹形状の横架材８・８とから構成される。
各パイプ状部材７の外側には介助者が入浴用担架１を操作する際に掴む握り手２８が前後方向に延在して設けられる。また、各横架材８の裏面には、昇降式浴槽９の受け部１２の両端に並行配設される案内レール１４・１４上を転動する転動ローラ１３が複数個配設されている。
【００２２】
入浴用担架１の左右両側部において、各パイプ状部材７の所定位置二箇所に取着される水平軸１６・１６に対して回動可能に主サイドガード１５が配設されている。図２に示すように、主サイドガード１５は、不図示のロック機構によって載置部５の載置面に対して起立する起立位置に固定できるとともに、ロック解除をすることにより同載置面に対して垂下する垂下位置に位置を切替えできるようになっている。
【００２３】
図２に示すように、各主サイドガード１５は第二の背もたれ部２ｂの前側近傍から第二の脚受け部４ｂの前側近傍におよぶ範囲にわたって設けられ、起立位置にあるときに入浴者の肢体が載置部５面からのはみ出しを防ぐのに充分なサイズとされている。
【００２４】
また、背もたれ部２には、入浴者が主に入浴時に把持する回動式の手摺１７が載置部５の左右方向にわたって設けられている。手摺１７は平面視略Ｕ字形状に形成され、その各遊端部１７ａが第一の背もたれ部２ａ裏面の左右位置において取着金具１８を介して取着される手摺支軸１９に連結されている（図３参照）。
【００２５】
図３に示すように、各遊端部１７ａにはボス２０が固着され、このボス２０が手摺支軸１９端部に嵌挿され、手摺１７が手摺支軸１９に対し回動可能となっている。また、ボス２０はその外周面の一部に沿って外周溝２０ａが形成され、この外周溝２０ａに手摺支軸１９に設けられたピン材２１が嵌入している。このピン材２１によって手摺１７の回動が外周溝２０ａの端部において規制される。
【００２６】
即ち、手摺１７は、ピン材２１によって、入浴者が把持する把持位置（図２中、Ｂで示す位置）と非把持位置（図２中、Ａで示す位置）の各位置で回動が規制される。図２に示すように、非把持位置にまで手摺１７を回動したとき、手摺１７の全体が載置部５の下方に位置するので、載置部５への入浴者の移乗時には手摺１７をこの位置に回動させておくことで入浴者の移乗動作の妨げになることはない。
【００２７】
さらに、図１に示すように載置部５の左右両側部には手摺１７の回動に追従連動して載置部５の載置面に対し起立した位置と倒伏した位置との間で回動する副サイドガード２４が設けられる。尚、起立した位置とは、図２中Ｃで示す位置であり、倒伏した位置とは同図中Ｄで示す位置をいう。
【００２８】
図１、２に示すように、各副サイドガード２４は、各主サイドガード１５に対する後側（載置部５上に横たわる入浴者の頭部側）であって、手摺１７と第一の背もたれ部２ａとの間において設けられ側面視で略への字形状をしている。この副サイドガード２４は、入浴時に載置部５の載置面から外方への入浴者の肩部ないしは上肢部のはみ出しを阻止する役割を果たすものである。
【００２９】
図３に示すように、副サイドガード２４における長手部分２４ａの端位置はボルト軸２５で第一の背もたれ部２ａの側面に回動可能に軸着されている。また、短手部分２４ｂには直線状のガイド溝２６が形成され、このガイド溝２６に手摺１７の支持部１７ｂ内側に突出状に設けられるガイドピン２７が嵌入している。
【００３０】
従って、手摺１７を回動させると、ガイドピン２７によってガイドされる副サイドガード２４が手摺１７に追従連動して回動することになる。このとき、ガイドピン２７は、ガイド溝２６の内壁に摺接しながら移動する。手摺１７の回動がピン材２１によって規制されると、副サイドガード２４の回動も規制される。
【００３１】
次に、入浴用担架１の使用方法を説明する。入浴者を寝台等から入浴用担架１の載置部５に移乗させるに際し、主サイドガード１５が起立位置にある場合は、ロックを解除し主サイドガード１５を垂下位置まで垂下させる。
【００３２】
また、手摺１７が把持位置にある場合は、手摺１７を回動させて非把持位置にする。手摺１７を非把持位置にまで回動すると、副サイドガード２４も手摺１７の回動に追従連動して回動し、副サイドガード２４全体が載置面より下方の倒伏した位置に至るので、入浴者の移乗動作の妨げとなることはない。
【００３３】
入浴者の載置部５への移乗が完了した後、主サイドガード１５を起立位置に戻しロック機構を作用させ、続いて手摺１７を回動させて把持位置にまで戻す。手摺１７を把持位置に戻すと、副サイドガード２４が載置部５の載置面に対し起立した位置になり、載置面から外方への入浴者の肩部ないしは上肢部のはみ出しを阻止することができる。
【００３４】
従って、介助者は手摺１７の回動操作と、副サイドガード２４の起立・倒伏に係る回動操作を個々別々に行う必要はなく、入浴介助者の操作手数を軽減することができ、操作性を向上できる。また、平面視略Ｕ字形状の手摺１７が一体として回動することによって、左右側部の副サイドガード２４・２４も同時に回動するので、操作性がより優れたものとなる。
【００３５】
図５を参照して本発明の第二の実施形態を説明する。尚、図５において、図１ないし４と同一又は同等の構成要素については、同一符号を付記して、特に説明を要する場合を除いて構成要素の説明は省略する。第二の実施形態は、第一の実施形態における手摺１７を支持部１７ｂの中途位置において曲折した手摺３２に変更したものである。
【００３６】
手摺３２は、非把持位置にある状態で支持部３２ａがその略中間位置で図５中、右斜め下方向に延在する形状に曲折されて形成される。これにより、非把持位置にある手摺３２を把持位置の方向へ回動するときに、副サイドガード２４の短手部分２４ｂの側端部２４ｃと支持部３２ａの間で副サイドガード２４に巻き込まれるようにして入浴介助者の手指が挟まれてしまうという危険を防ぐことができ、安全に手摺３２の回動操作を行うことができる。また、恰幅の良い腹部の突き出た入浴者が載置部５に仰臥し入浴する場合であっても、把持位置にある手摺３２の水平部３２ｂ付近が腹部に仕え難いというメリットも兼ね備えている。
【００３７】
尚、本発明は上述した実施形態に限定されることなく、本発明の趣旨を逸脱しない範囲において適宜変更が可能である。例えば、図示は省略するが、手摺は左右一体の構造ではなく、左右別体の構造として背もたれ部に対し独立に回動可能に設けても本発明の目的を達成することができるものである。また、副サイドガードとガイドピンとにわたって、あるいは、副サイドガードとそのボルト軸とにわたって、それぞれバネを介装し、手摺と副サイドガードとの間に万一手指が挟み込まれた場合には、副サイドガードが手摺に対して離間する方向に一時退避できるような構成を設けてもよい。
【産業上の利用可能性】
【００３８】
本発明は、高齢者や身体障害者等の入浴者を入浴させる入浴用担架に適用できるもので、産業上の利用可能性は高いものである。
【符号の説明】
【００３９】
１    入浴用担架
２    背もたれ部
２ａ  第一の背もたれ部
２ｂ  第二の背もたれ部
５    載置部
１５    主サイドガード
１７    手摺
２４    副サイドガード
２５    ボルト軸
２６    ガイド溝
２７    ガイドピン
【図１】
2011062480.tif 000003
【図２】
2011062480.tif 000004
【図３】
2011062480.tif 000005
【図４】
2011062480.tif 000006
【図５】
2011062480.tif 000007